(57)【特許請求の範囲】
【請求項１】
広帯域符号分割多重アクセス（ＷＣＤＭＡ）通信システムのユーザ機器（ＵＥ）であって、
高速の共通制御チャネル（ＨＳ−ＳＣＣＨ）を処理するように構成された回路と、
前記ＨＳ−ＳＣＣＨには前記ＵＥに関連付けられたユーザ固有スクランブル系列のビットが含まれ、前記ＨＳ−ＳＣＣＨに関連付けられた高速の物理ダウンリンク共通制御チャネル（ＨＳ−ＰＤＳＣＨ）を処理するように構成された回路であって、前記ユーザ固有スクランブル系列は、ＵＥ識別子（ＵＥ  ＩＤ）の１／２レート畳み込み符号化された結果である、回路と
を備えたことを特徴とするＷＣＤＭＡ  ＵＥ。
【請求項２】
前記ＨＳ−ＳＣＣＨを処理する回路は、前記ＨＳ−ＳＣＣＨには前記ユーザ固有スクランブル系列のビットが含まれ、前記ＨＳ−ＰＤＳＣＨのチャネライゼーション情報と変調情報とを判定することを特徴とする請求項１に記載のＷＣＤＭＡ  ＵＥ。
【請求項３】
前記ユーザ固有スクランブル系列は、１／２レート畳み込み符号化されたＵＥ  ＩＤの速度調停の結果であることを特徴とする請求項１に記載のＷＣＤＭＡ  ＵＥ。
【請求項４】
前記ＨＳ−ＳＣＣＨは、前記ユーザ固有スクランブル系列と結合された制御データを含むことを特徴とする請求項１に記載のＷＣＤＭＡ  ＵＥ。
【請求項５】
前記制御データは、畳み込み符号化されることを特徴とする請求項４に記載のＷＣＤＭＡ  ＵＥ。
【請求項６】
前記関連付けられたＨＳ−ＰＤＳＣＨは、前記ＨＳ−ＳＣＣＨに前記ユーザ固有スクランブル系列のビットが含まれない場合、処理されないことを特徴とする請求項１に記載のＷＣＤＭＡ  ＵＥ。
【請求項７】
前記ユーザ固有スクランブル系列を生成するように構成された回路を備えたことを特徴とする請求項１に記載のＷＣＤＭＡ  ＵＥ。
【請求項８】
前記ユーザ固有スクランブル系列を生成するように構成された回路は、１／２レート畳み込みエンコーダを備えることを特徴とする請求項７に記載のＷＣＤＭＡ  ＵＥ。
【請求項９】
広帯域符号分割多重アクセス（ＷＣＤＭＡ）通信システムのユーザ機器（ＵＥ）により高速の共通制御チャネル（ＨＳ−ＳＣＣＨ）を処理すること、および、
前記ＨＳ−ＳＣＣＨには前記ＵＥに関連付けられたユーザ固有スクランブル系列のビットが含まれ、前記ＨＳ−ＳＣＣＨに関連付けられた高速の物理ダウンリンク共通制御チャネル（ＨＳ−ＰＤＳＣＨ）を処理することであって、前記ユーザ固有スクランブル系列は、ＵＥ識別子（ＵＥ  ＩＤ）の１／２レート畳み込み符号化された結果であること
を備えたことを特徴とする方法。
【請求項１０】
前記ＨＳ−ＳＣＣＨには前記ユーザ固有スクランブル系列のビットが含まれ、前記ＵＥにより前記ＨＳ−ＰＤＳＣＨのチャネライゼーション情報と変調情報とを判定することを備えたことを特徴とする請求項９に記載の方法。
【請求項１１】
前記ユーザ固有スクランブル系列は、１／２レート畳み込み符号化されたＵＥ  ＩＤの速度調停の結果であることを特徴とする請求項９に記載の方法。
【請求項１２】
前記ＨＳ−ＳＣＣＨは、前記ユーザ固有スクランブル系列と結合された制御データを含むことを特徴とする請求項９に記載の方法。
【請求項１３】
前記制御データは、畳み込み符号化されることを特徴とする請求項１２に記載の方法。
【請求項１４】
前記関連付けられたＨＳ−ＰＤＳＣＨは、前記ＨＳ−ＳＣＣＨに前記ユーザ固有スクランブル系列のビットが含まれない場合、処理されないことを特徴とする請求項９に記載の方法。
【請求項１５】
前記ユーザ固有スクランブル系列を生成することを備えたことを特徴とする請求項９に記載の方法。
【請求項１６】
ユーザ機器であって、
１６ビットユーザ識別子を受け入れるように構成された入力と、
付加された８つのゼロビットとともに前記１６ビットユーザ識別子を処理して、高速の共通制御チャネル（ＨＳ−ＳＣＣＨ）により運ばれる制御情報を判定するのに使用する４８ビットコードを生成する１／２レート畳み込みエンコーダと
を備えたことを特徴とするユーザ機器。
【請求項１７】
前記４８ビットコードを生成の後、８ビットを削除する速度調停部をさらに備えたことを特徴とする請求項１６に記載のユーザ機器。
【請求項１８】
前記制御情報は、高速の物理ダウンリンク共通制御チャネル（ＨＳ−ＰＤＳＣＨ）を復号するために使用されることを特徴とする請求項１６に記載のユーザ機器。
【請求項１９】
前記ＨＳ−ＰＤＳＣＨは、前記ＨＳ−ＳＣＣＨに関連付けられていることを特徴とする請求項１８に記載のユーザ機器。
【発明の詳細な説明】
【技術分野】
【０００１】
本発明は、無線通信システムに関する。より詳細には、本発明は、高速の共通制御チャネル（ＨＳ−ＳＣＣＨ）に対するスクランブル系列を特定するユーザ機器の識別子に関する。
【背景技術】
【０００２】
高速のダウンリンクパケットアクセス（ＨＳＰＤＡ）が、広帯域符号分割多重アクセス通信システムに提供されている。ＨＳＰＤＡは、ダウンリンクの高いデータレートを保証し、マルチメディアサービスをサポートする。
【０００３】
ＨＳＰＤＡをサポートするために、高速の共通制御チャネル（ＨＳ−ＳＣＣＨ）が用いられる。ＨＳ−ＳＣＣＨを使用して、重要な共通制御情報の信号をユーザ機器（ＵＥ）に送信する。各ＨＳ−ＳＣＣＨは、２つの部分を有し、パート１とパート２という。パート１は、時間に制約があってＵＥに必要とされる情報を運ぶ。この情報は、ＨＳＰＤＡペイロードを運ぶ高速の物理ダウンリンク共通制御チャネル（ＨＳ−ＰＤＳＣＨ）が使用するチャネライゼーションコード（channelization code）と変調種別とを含む。この情報は、ＨＳＰＤＡが適応型の変調およびコード化（ＡＭＣ）を用いるので、ＨＳＰＤＡをサポートするのに重要である。
【０００４】
パート１情報を得るために、各ＨＳＰＤＡ  ＵＥは、その情報に対して４つのＨＳ−ＳＣＣＨを監視する。特定のＵＥの情報を、スクランブル系列を特定するＵＥ識別子（ＵＥＩＤ）により他のＵＥと区別する。ＵＥは、スクランブル系列を特定するＵＥ  ＩＤを用いて監視された各ＨＳ−ＳＣＣＨを処理して、ＵＥに用いられるＨＳ−ＳＣＣＨを検出する。処理の後、ＵＥは、そのスクランブル系列を用いて運ばれた情報がもしあれば、どのＨＳ−ＳＣＣＨ上かを判定する。ＵＥは、そのスクランブル系列を用いてＨＳ−ＳＣＣＨのパート１で運ばれたデータをスクランブル解除する。
【０００５】
従来、１０ビットＵＥ  ＩＤを、スクランブル系列を特定するＵＥ  ＩＤの基本として使用していた。この場合、このＵＥ  ＩＤは、４０ビットのスクランブル系列に変換される。１０ビットＵＥ  ＩＤを、スクランブル系列を特定する４０ビットＵＥ  ＩＤに変えるために、１０ビットＵＥ  ＩＤを、リード・マラー部により処理して３２ビットコードを生成する。生成されたコードの最初の８ビットは繰り返され、３２ビットコードの後ろに付加されて４０ビットコードを生成する。
【発明の開示】
【発明が解決しようとする課題】
【０００６】
ＵＥ  ＩＤ長さを１６チップに拡張するにもかかわらず、ＨＳ−ＳＣＣＨの現在案では、１０ビットＵＥ  ＩＤを使用する。１０ビットＵＥ  ＩＤを４０ビットのスクランブル系列に変換するために、１０ビットＵＥ  ＩＤを、リード・マラー部により処理して３２ビットコードを生成する。生成されたコードの最初の８ビットは繰り返され、３２ビットコードの後ろに付加されて４０ビットコードを生成する。
【０００７】
検出誤りが発生するのを減らすために、各ＵＥ  ＩＤに対して生成されたスクランブルコード間は、良好に分離されていることが望ましい。従って、スクランブルコードを生成する代替の方法が求められている。
【課題を解決するための手段】
【０００８】
コードを生成して、特定のユーザ機器に対する高速の共通制御チャネル（ＨＳ−ＳＣＣＨ）に関連付けられたデータをスクランブルし、スクランブルを解除するのに用いる。特定のユーザ機器のユーザ識別子は、Ｌビットを備える。１／２レート畳み込みエンコーダは、１／２レート畳み込み符号により少なくともユーザ識別子のビットを処理してコードを生成する。
【発明を実施するための最良の形態】
【０００９】
好適実施形態を、３ＧＰＰ（The third generation partnership project）の広帯域符号分割多重アクセス（Ｗ-ＣＤＭＡ）通信システムとして用いる本発明の好適な応用例として開示するが、本発明を、他の符号分割多重アクセス通信システムに適用することができる。図１Ａおよび１Ｂは、スクランブル系列を特定するＵＥ  ＩＤの好適な回路の図である。長さＬのＵＥ  ＩＤであるＸＵＥが回路に入力される。Ｌは、８ビット、１０ビット、１６ビットなど任意の長さとすることができる。ＵＥ  ＩＤ、ＸＵＥ＝｛ＸＵＥ１，…，ＸＵＥＬ｝は、図１Ａに示す１／２レート畳み込みエンコーダ１０に入力される。ＵＥ  ＩＤとともに０などの付加ビットを、入力ビット列の最後に加えることができ、入力ビット列の長さ、それに応じて出力ビット列の長さを拡張する。１／２レート畳み込みエンコーダ１０を用いて、異なるＵＥ  ＩＤにより生成される出力ビット列の間の高レベルのコード分離を提供する。加えて、現在の３ＧＰＰ  Ｗ-ＣＤＭＡ通信システムは、前方誤り訂正（ＦＥＣ）技術に関して１／２レート畳み込みエンコーダ１０を利用する。従って、畳み込み符号化された、スクランブル系列を特定するＵＥ  ＩＤを生成するために、何らハードウェアを必要としない。エンコードの後、出力ビット列に基づいて、速度調停(rate matching)ステージ１２を、空いたビットに適用し、所望のビット列を得ることができる。
【００１０】
図２Ａおよび２Ｂは、Ｌ＝１６、長さ１６の好適なＵＥ  ＩＤコードについて、スクランブル系列を特定する好適なＵＥ  ＩＤの回路の好適な図である。１６ビットＵＥ  ＩＤ、ＸＵＥ＝｛ＸＵＥ１，…，ＸＵＥ１６｝は、入力ビット列の最後に付加された８つのゼロビットとともに、１／２レート畳み込みエンコーダ１４に入力される。その結果、入力ビット列は、ＸＵＥ１，…，ＸＵＥ１６，０，０，０，０，０，０，０，０となる。１／２レート畳み込みエンコーダ１４による処理の後、出力コードは、長さ４８ビット、ＣＵＥ｛ＣＵＥ１，…，ＣＵＥ４８｝となる。
【００１１】
好適な長さ４０ビットのコード長に減らすために、好適には８ビットを減らす。図２Ｂは、ビット削除を実行する速度調停ステージ１６を示す。速度調停ステージ１６の後、スクランブルコードの有効なビットは、４０ビットである。
【００１２】
図４は、スクランブルコードを特定するＵＥ  ＩＤを使用するユーザ機器のＨＳ−ＳＣＣＨのスクランブル解除の簡略化された図である。ＵＥ  ＩＤスクランブルコードを、排他的論理和ゲート２０などにより、受信されたＨＳ−ＳＣＣＨと混合し、エンコードされたＨＳ−ＳＣＣＨデータの復号に用いる。
【００１３】
図３は、スクランブルコードを特定するＵＥ  ＩＤを含むエンコードされたデータをスクランブルし、ＨＳ−ＳＣＣＨを介して転送する基地局の簡略化された図である。エンコードされたデータを、排他的論理和ゲート１８などにより、特定のユーザについてＵＥ  ＩＤスクランブルコードと混合する。スクランブルデータを用いて、ＨＳ−ＳＣＣＨを生成して特定のユーザに転送する。
【図面の簡単な説明】
【００１４】
【図１Ａ】ＨＳ−ＳＣＣＨについて特定のユーザに関連付けられたコードを生成する回路の好適な図である。
【図１Ｂ】図１Ａに関連して使用される速度調停部の図である。
【図２Ａ】１６ビットのユーザ識別子に関連付けられたコードを生成する回路の好適な図である。
【図２Ｂ】図２Ａに関連して使用される速度調停部の図である。
【図３】スクランブルコードを特定するＵＥ  ＩＤを使用する簡略化された基地局を示す図である。
【図４】スクランブルコードを特定するＵＥ  ＩＤを使用する簡略化されたユーザ機器を示す図である。
【図１Ａ】
0004359587.tif 000002
【図１Ｂ】
0004359587.tif 000003
【図２Ａ】
0004359587.tif 000004
【図２Ｂ】
0004359587.tif 000005
【図３】
0004359587.tif 000006
【図４】
0004359587.tif 000007